(57)【要約】【課題】転倒等により体勢を崩しても作業者の身体の一部が鎌等の刃部に接触するのを有効に防止し得るとともに、一本で高所での作業にも適用し得る鎌状刃物を提供する。【解決手段】把持部となる柄１の先端部に基端部が固定されて柄１の軸線方向に交叉する方向に突出している鎌状の刃部２を有する鎌状刃物であって、基端部が柄１の下端部に回動可能に取り付けられるとともに、付勢手段５により先端部が刃部２の先端部側に回動して突出されるように常時付勢されている保護プレート４と、刃部２の表面から突出するよう刃部２の先端部に固着されているピン３と、保護プレート４の先端部に配設され、付勢手段５の付勢力に基づく保護プレート４の回動に伴いピン３に当接することによりこの当接状態を保持するロック手段６とを有する。【選択図】図１
2013165694.tif 000002
【特許請求の範囲】
【請求項１】
把持部となる柄の先端部に基端部が固定されて前記柄の軸線方向とに交叉する方向に突出している鎌状の刃部を有する鎌状刃物であって、
前記刃部の表面から突出するよう前記刃部の先端部に固着されているピンと、
基端部が前記柄の下端部に回動可能に取り付けられるとともに、付勢手段により回動されて前記柄から突出され、先端部が前記ピンに当接することにより回動位置が規制されている保護プレートとを有することを特徴とする鎌状刃物。
【請求項２】
請求項１に記載する鎌状刃物において、
前記保護プレートの先端部に配設され、前記付勢手段の付勢力に基づく前記保護プレートの回動に伴い前記ピンに当接することによりこの当接状態をロックするロック手段を有することを特徴とする鎌状刃物。
【請求項３】
請求項２に記載する鎌状刃物において、
前記ロック手段は、基端部が回動可能に前記保護プレートの先端部に取り付けられた鉤部材と、前記基端部から前記鉤部材の反対側に伸びて前記鉤部材の基端部に一体的に固着されている爪部とを有し、前記保護プレートの回動に伴い前記爪部が前記ピンに当接することにより前記鉤部材が回動して前記ピンに係合させるように構成したことを特徴とする鎌状刃物。
【請求項４】
請求項２に記載する鎌状刃物において、
前記ロック手段は、基端部が回動可能に前記保護プレートの先端部に取り付けられて回動軸を回動中心として前記刃部の先端側である一方向および基端側である反対方向に伸びる第１の鉤部材と第２の鉤部材とを有し、前記保護プレートの回動に伴い第１の鉤部材の先端と第２の鉤部材の先端との間を前記ピンが通過し、その後前記第２の鉤部材が前記ピンに当接することにより前記第１および第２の鉤部材が回動して前記第１の鉤部材を前記ピンに係合させるように構成したことを特徴とする鎌状刃物。
【請求項５】
請求項２または請求項３に記載する鎌状刃物において、
前記ロック手段によるロックを解除して前記付勢手段による前記保護プレートの付勢方向に前記保護プレートを回動させることにより前記保護プレートの軸方向を前記柄の軸方向に一致させて固定し得るように構成したことを特徴とする鎌状刃物。
【発明の詳細な説明】
【技術分野】
【０００１】
本発明は鎌状刃物に関し、特に鎌、鳶口、手鉤等の刃物による自傷事故等を防止する場合に適用して有用なものである。
【背景技術】
【０００２】
送電線巡視路、配電線路の線下、電気所構内等の草刈りでは鎌を使用した手作業が多く実施されている。草刈り等の作業に用いられる鎌には、その携帯時の安全対策として取り外し式のカバーを有するものが提案（例えば特許文献１）されているが、作業中の外したカバーの携帯性、折り畳んだ刃の収納構造の形態から携帯時の安全性に難がある。そこで、作業中の刃による指等の自傷事故防止に対する安全構造を提供するものとして安全鎌が提案されている（例えば、特許文献２参照）。
【先行技術文献】
【特許文献】
【０００３】
【特許文献１】特開２００８−３５４４１２号公報
【特許文献２】実用新案登録第３１６８０７２号公報
【発明の概要】
【発明が解決しようとする課題】
【０００４】
上述の如き従来技術においては、作業者が転倒した場合等の安全対策は採られておらず、手に持っていた鎌で、転倒等によりバランスを崩した作業者が自傷事故を生起する場合があった。すなわち、鎌を使用しての作業中や移動中に足下の不安定さに起因して転倒、躓き、転落等により体勢を崩して鎌の刃部に指や腕等が接触して負傷する場合が発生していた。
【０００５】
さらに、上述の作業の中には高所にある蔓等を除去する作業も含まれる。かかる高所作業を伴う場合は、予め柄の長い大鎌を用意しておく必要があった。このように通常の鎌の他に大鎌も携帯して巡視等を行うのは大変である。
【０００６】
本発明は、上記従来技術に鑑み、転倒等により体勢を崩しても作業者の身体の一部が鎌等の刃部に接触するのを有効に防止し得るとともに、一本で高所での作業にも適用し得る鎌状刃物を提供することを目的とする。
【課題を解決するための手段】
【０００７】
本発明の第１の態様は、把持部となる柄の先端部に基端部が固定されて前記柄の軸線方向とに交叉する方向に突出している鎌状の刃部を有する鎌状刃物であって、前記刃部の表面から突出するよう前記刃部の先端部に固着されているピンと、基端部が前記柄の下端部に回動可能に取り付けられるとともに、付勢手段により回動されて前記柄から突出され、先端部が前記ピンに当接することにより回動位置が規制されている保護プレートとを有することを特徴とする鎌状刃物にある。
【０００８】
本態様によれば、柄から手が離れた時点で付勢手段の付勢力により保護プレートがその下端部を回動中心として回動することにより、刃部の先端部がピンに当接して位置を規制されるまで柄から飛び出す。この結果、作業者の指、腕等の身体の一部は保護プレートに接触することにより、刃部に接触することはない。かかる状態で、作業者の指、腕等の身体の一部が刃部に当接するには保護プレートを付勢力に抗して飛び出し回動方向と反対方向に保護プレートを回動させる必要があるからである。
【０００９】
したがって、作業者が所定の作業中に体勢を崩して転倒等により柄から手が離れた場合でも刃部に対する接触により自傷する事故を未然に防止し得る。
【００１０】
本発明の第２の態様は、第１の態様に記載する鎌状刃物において、前記保護プレートの先端部に配設され、前記付勢手段の付勢力に基づく前記保護プレートの回動に伴い前記ピンに当接することによりこの当接状態をロックするロック手段を有することを特徴とする鎌状刃物にある。
【００１１】
本態様によれば、保護プレートが柄から飛び出し、その先端部がピンに当接した状態をロックすることができるので、刃部への接触事故を確実に防止することができる。
【００１２】
本発明の第３の態様は、第２の態様に記載する鎌状刃物において、前記ロック手段は、基端部が回動可能に前記保護プレートの先端部に取り付けられた鉤部材と、前記基端部から前記鉤部材の反対側に伸びて前記鉤部材の基端部に一体的に固着されている爪部とを有し、前記保護プレートの回動に伴い前記爪部が前記ピンに当接することにより前記鉤部材が回動して前記ピンに係合させるように構成したことを特徴とする鎌状刃物にある。
【００１３】
本態様によれば、保護プレートの柄からの飛び出しに伴う爪部の回動により鉤部材をピンに確実に係合させることができる。この結果、所定のロック状態を良好に維持し得る。
【００１４】
本発明の第４の態様は、第２の態様に記載する鎌状刃物において、前記ロック手段は、基端部が回動可能に前記保護プレートの先端部に取り付けられて回動軸を回動中心として前記刃部の先端側である一方向および基端側である反対方向に伸びる第１の鉤部材と第２の鉤部材とを有し、前記保護プレートの回動に伴い第１の鉤部材の先端と第２の鉤部材の先端との間を前記ピンが通過し、その後前記第２の鉤部材が前記ピンに当接することにより前記第１および第２の鉤部材が回動して前記第１の鉤部材を前記ピンに係合させるように構成したことを特徴とする鎌状刃物にある。
【００１５】
本態様によれば、保護プレートの柄からの飛び出しに伴う第２の鉤部材の回動により第１の鉤部材をピンに確実に係合させることができる。この結果、所定のロック状態を良好に維持し得る。
【００１６】
本発明の第５の態様は、第２または第３の態様に記載する鎌状刃物において、前記ロック手段によるロックを解除して前記付勢手段による前記保護プレートの付勢方向に前記保護プレートを回動させることにより前記保護プレートの軸方向を前記柄の軸方向に一致させて固定し得るように構成したことを特徴とする鎌状刃物にある。
【００１７】
本態様によれば、柄の軸方向の長さが保護プレートの軸方向の長さを加えた長さとなるので、実質的に当該鎌状刃部の柄の長さが伸長された大鎌として使用することもでき、高所作業を行う鎌状刃物としても兼用することができる。
【発明の効果】
【００１８】
本発明によれば、作業者が把持する柄から作業者の手が離れ、把持状態が解除された場合には、柄の下端部を回動中心として保護プレートが回動して柄から飛び出し、保護プレートの先端部が刃部の先端部に設けたストッパーに当接してロックされる。この結果、保護プレートにより作業者の腕や指等、身体の一部が刃部に接触して負傷する事故を未然に防止することができる。
【００１９】
また、前記保護プレートの下端部を前記柄の下端部に回動可能に取付けた場合には、保護プレートを回動して保護プレートの軸線を前記柄の軸線に一致させた状態で固定することができる。この場合には、柄の部分の長さを保護プレートの長さの分だけ、実質的に延長することができる。この結果、高所作業に用いる大鎌としての機能も兼備させることができる。
【図面の簡単な説明】
【００２０】
【図１】本発明の第１の実施の形態に係る鎌を示す正面図である。
【図２】図１のロック機構部分を抽出・拡大して示す図で、（ａ）が、保護プレートが柄から飛び出した状態における刃部の先端部を示す左側面図、（ｂ）がその正面図である。
【図３】図１のロック機構部分を抽出・拡大して示す図で、（ａ）が、保護プレートを柄に収納した状態における図１の点線で示す部分を示す左側面図、（ｂ）がその正面図である。
【図４】本発明の第２の実施の形態に係る鎌を示す正面図である。
【図５】図４のロック機構部分を抽出・拡大して示す図で、（ａ）が、保護プレートが柄から飛び出した状態における刃部の先端部を示す左側面図、（ｂ）がその正面図である。
【図６】図４のロック機構部分を抽出・拡大して示す図で、（ａ）が、保護プレートを柄に収納した状態における図４の点線で示す部分を示す左側面図、（ｂ）がその正面図である。
【図７】本発明の実施の形態に係る鎌の通常時の状態を示す斜視図（ロック機構部分は省略している）である。
【図８】図７における柄の下端部に配設されている付勢手段の具体的な構成の二例（ａ）、（ｂ）を示す拡大図である。
【図９】図７に示す実施の形態に係る鎌の保護プレートを利用することにより大鎌として機能させる場合を示す斜視図である。
【発明を実施するための形態】
【００２１】
以下、本発明の実施の形態を図面に基づき詳細に説明する。
【００２２】
＜第１の実施の形態＞
図１は本発明の第１の実施の形態に係る鎌状刃物を示す正面図である。同図に示すように、本形態に係る鎌状刃物は、把持部となる柄１の先端部に基端部が固定されて柄１の軸線方向（図１では垂直方向）と交叉（直交）する水平方向に突出している刃部２を有する鎌である。刃部２の先端部には、その表面から水平方向に突出するようにピン３が固着されている。保護プレート４は、基端部が柄１の下端部に回動可能に取り付けられている。また、保護プレート４の下端部には、保護プレート４を軸回りに回動させる回動力を付与する付勢手段５（後に詳述する）が配設されている。かかる付勢手段５により、保護プレート４は図中反時計方向に回動されて柄１から突出され、先端部に配設されているロック手段６（後に詳述する）を介してピン３に当接することにより回動位置が規制される。かかる状態が通常であり、図１に実線で示す状態である。
【００２３】
かかる通常時の状態においては、保護プレート４から刃部２に向かっては、保護プレート４に阻止されるので、刃部２に近接することができない構造となっている。刃部２に触れるためには、保護プレート４を付勢手段５の付勢力に抗して図中時計方向に回動する必要がある。したがって、かかる通常時の状態では、作業員の指、腕等の身体の一部が刃部２に接触することはなく、このことにより自傷事故を未然に防止し得る構造となっている。
【００２４】
一方、本形態に係る鎌を用いて草刈等の所定の作業を行う場合には、通常時の状態から保護プレート４を基端部を回動中心として図中時計方向に回動させて柄１の中に収納する。このように保護プレート４を収納した状態、すなわち柄１と保護プレート４との両方を同時に把持した状態で、刃部２による草刈等の作業を行う。この場合の保護プレート４の状態を図１に点線で示す。
【００２５】
かかる作業中に作業者が体勢を崩し、柄１から手が離れた場合には、保護プレート４が付勢手段５の付勢力により反時計方向に回動され、ロック手段６を介してピン３に当接することにより図１に実線で示す通常時の状態となり、上述の如く保護プレート４から刃部２側への作業員の身体の侵入が防止され、作業員の自傷事故が未然に防止される。
【００２６】
図２は、図１のロック機構部分を抽出・拡大して示す図で、（ａ）が、保護プレートが柄から飛び出した状態における刃部の先端部を示す左側面図、（ｂ）がその正面図である。図３は、図１のロック機構部分を抽出・拡大して示す図で、（ａ）が、保護プレートを柄に収納した状態における図１の点線で示す部分を示す左側面図、（ｂ）がその正面図である。
【００２７】
両図に示すように、本形態におけるロック手段６は、支持部材６Ｃおよびピン６Ｄを介して保護プレート４の先端部に回動可能に取り付けられた鉤部材６Ａと、基端部から鉤部材６Ａの反対側に伸びて鉤部材６Ａの基端部に一体的に固着されている爪部６Ｂとを有している。鉤部材６Ａは半円形の曲線部を有する部材である。かくして、バネ等の弾性部材（図示せず）により図中時計方向に付勢されてピン６Ｄに図３に示すような姿勢で回動可能に一体的に支持されている鉤部材６Ａおよび爪部６Ｂが、保護プレート４の回動に伴いピン６Ｄに当接することにより鉤部材６Ａが反時計方向に回動されて図２に示すような態様でピン３に係合される。この結果、保護プレート４のピン３に対する当接状態がロックされる。
【００２８】
なお、図２に示すようなロック状態を解除する場合には鉤部材６Ａをバネ力に抗して時計方向に移動し、鉤部材６Ａによるピン３に対する係合状態を解除してやれば良い。
【００２９】
かかる本形態において、通常時には、付勢手段５により保護プレート４は柄１から飛び出して図１に実線で示す状態となっている。かかる状態から、当該鎌の使用時には、ロック手段６によるロック状態を解除し、保護プレート４を図中時計方向に回動して柄１の中に納め、所定の作業を行う。
【００３０】
作業時に、作業者の転倒等により、手が離れた場合には、付勢手段５のバネ力で保護プレート４が柄１から飛び出し、刃部２の先端の突起であるピン３に爪部６Ｂが当接することにより、鉤部材６Ａがピン６Ｄを回動中心として反時計方向に回動することにより、図２に示す状態となって鉤部材６Ａにより保護プレート４の回動がロックされる。
【００３１】
使用時の状態に戻すときには、ピン６Ｄを回動中心として鉤部材６Ａを時計方向に回動した状態で保護プレート４を付勢手段５のバネ力に抗して時計方向に回動する。この結果、図３に示す状態となって保護プレート４が、柄１に収まる。このとき、鉤部材６Ａの図３に示す姿勢はピン６Ｄに巻いたバネ等（図示せず）により維持される。
【００３２】
＜第２の実施の形態＞
図４は本発明の第２の実施の形態に係る鎌状刃物を示す正面図である。同図に示すように、本形態に係る鎌状刃物は、第１の実施の形態に対しロック機構の構造が異なるだけで、他の部分の構成は第１の実施の形態と同様である。そこで、図１と同一部分には同一番号を付し重複する説明は省略する。
【００３３】
図５は、図４のロック機構部分を抽出・拡大して示す図で、（ａ）が、保護プレートが柄から飛び出した状態における刃部の先端部を示す左側面図、（ｂ）がその正面図である。図６は、図４のロック機構部分を抽出・拡大して示す図で、（ａ）が、保護プレートを柄に収納した状態における図４の点線で示す部分を示す左側面図、（ｂ）がその正面図である。
【００３４】
両図に示すように、本形態におけるロック手段１６は、支持部材１６Ｃおよびピン１６Ｄを介して保護プレート４の先端部に取り付けられた第１および第２の鉤部材１６Ａ，１６Ｂを有している。ここで、第１および第２の鉤部材１６Ａ，１６Ｂは、それぞれの基端部がピン１６Ｄに回動可能に支持されて、刃部２の先端側である一方向および基端側である反対方向に伸びる円弧状の部材である。第１および第２の鉤部材１６Ａ，１６Ｂはピン１６Ｄに対し対称な形状となっており、バネ等の弾性部材（図示せず）により図中時計方向に付勢されてピン１６Ｄに図６に示すような姿勢で回動可能に一体的に支持されている。かくして、図６に示す状態から、保護プレート４が反時計方向に回動した場合、その回動に伴い第１の鉤部材１６Ａの先端と第２の鉤部材１６Ｂの先端との間をピン３が通過し、その後第２の鉤部材１６Ｂがピン３に当接することにより第１および第２の鉤部材１６Ａ，１６Ｂがピン１６Ｄを回動中心として反時計方向に回動して第１の鉤部材１６Ａをピン３に係合させるように構成してある。この結果、保護プレート４のピン３に対する当接状態がロックされる。
【００３５】
一方、図５に示すようなロック状態を解除する場合には第１および第２の鉤部材１６Ａ，１６Ｂをバネ力に抗して一体的に時計方向に移動し、第１の鉤部材１６Ａによるピン３に対する係合状態を解除してやれば良い。
【００３６】
本形態においてもロック手段１６によるロックおよびその解除の態様が若干異なるだけで、同様の態様で動作される。
【００３７】
図７は本発明の実施の形態に係る鎌の通常時の状態を示す斜視図である。ただし、ロック手段６，１６の部分は省略している。したがって、図７は第１および第２の実施の形態に関して共通する構成を示している。また、図８は、図７における柄の下端部に配設されている付勢手段の具体的な構成を示す拡大図である。図８（ａ）に示すように、付勢手段５Ａは、基端部が柄１に固着されたバネ部材５Ｂの先端部で保護プレート４の背部を押すことにより、軸４Ａを回動中心として図中反時計方向へ回動するように構成しても良いし、また図８（ｂ）に示すように、軸４Ａに渦巻きバネ５Ｃを装着することにより、軸４Ａを回動中心として図中反時計方向へ柄１を回動するように構成しても良い。
【００３８】
図９は、図７に示す鎌の保護プレートを利用することにより大鎌として機能させる場合を示す斜視図である。同図に示すように、ピン６Ｄ（図２の場合）およびピン１６Ｄ（図５の場合）を回動中心として鉤部材６Ａおよび第１の鉤部材１６Ａを反時計方向に回動した状態で保護プレート４を軸４Ａ（図８参照）を回動中心としてそのまま反時計方向に回動することにより、保護プレート４の軸方向を柄１の軸方向に一致させて固定する。かかる固定は柄１の下端部に螺合させる環状部材７を用いて行う。すなわち、保護プレート４の反時計方向への回動を許容する場合には環状部材７による締付力を緩め、保護プレート４が柄１と一直線となった状態で環状部材７を締めることにより保護プレート４の姿勢を強固に固定する。ここで、保護プレート４は１８０度以上には回動しないように構成されている。
【００３９】
この場合には、柄１の軸方向の長さが保護プレート４の軸方向の長さを加えた長さとなるので、実質的に刃部２の柄の長さが伸長された大鎌として使用することもでき、高所作業を行う鎌として使用することができる。
【００４０】
なお、上記実施の形態では鎌状刃物の一種として鎌を例に採り説明したが、他の鎌状刃物としては鳶口や手鉤にも同様に適用できる。
【産業上の利用可能性】
【００４１】
本発明は草刈り作業を伴う送電線路等の巡視や鉄塔等を管理する電力業界等の産業分野において有効に利用することができる。
【符号の説明】
【００４２】
１            柄
２            刃部
３            ピン
４            保護プレート
５            付勢手段
６、１６      ロック手段
【図１】
2013165694.tif 000003
【図２】
2013165694.tif 000004
【図３】
2013165694.tif 000005
【図４】
2013165694.tif 000006
【図５】
2013165694.tif 000007
【図６】
2013165694.tif 000008
【図７】
2013165694.tif 000009
【図８】
2013165694.tif 000010
【図９】
2013165694.tif 000011